(57)【要約】    【課題】  下肢のみならず上肢の屈伸運動をも無理なく行なえる運動用具を提供する。    【解決手段】  ベッドの一端部に立設する支柱部材と、この支柱部材の上端部に設けられる第１掛止部と、第１掛止部に係止される第１滑車と、長さ方向両端部に足掛部材が設けられ、長さ中間部が第１滑車に回し掛けられる紐状部材から構成される下肢用運動器具と、長さ方向一端部が支柱部材の上端部に枢支されて、この支柱部材の長さ方向に対してほぼ直交する方向に延びる使用位置、及び支柱部材の長さ方向に沿って延びる格納位置に位置変更可能なアーム部材と、このアーム部材の長さ方向他端部に設けられる第２掛止部と、第２掛止部に係止される第２滑車と、長さ方向両端部に手で握るためのグリップが設けられ、長さ中間部が第２滑車に回し掛けられる紐状部材から構成される上肢用運動器具とが備えられた。  【選択図】  図２
2006217933.tif 000002
【特許請求の範囲】
【請求項１】
ベッドの一端部に立設する支柱部材と、
この支柱部材の上端部に設けられる第１掛止部と、
第１掛止部に係止される滑車と、
長さ方向両端部に足掛部材が設けられ、長さ中間部が前記滑車に回し掛けられる紐状部材から構成される下肢用運動器具と、
長さ方向一端部が支柱部材の上端部に枢支されて、この支柱部材の長さ方向に対してほぼ直交する方向に延びる使用位置、及び支柱部材の長さ方向に沿って延びる格納位置に位置変更可能なアーム部材と、
このアーム部材の長さ方向他端部に設けられる第２掛止部と、
第２掛止部に係止される滑車と、
長さ方向両端部に手で握るためのグリップが設けられ、長さ中間部が前記滑車に回し掛けられる紐状部材から構成される上肢用運動器具とが備えられていることを特徴とする運動用具。
【請求項２】
支柱部材が上下方向に伸縮可能に構成されていることを特徴とする請求項１に記載の運動用具。
【発明の詳細な説明】
【技術分野】
【０００１】
本発明は、ベッドを利用して、上肢と下肢の運動を手軽に行うことが出来る運動用具に関する。
【背景技術】
【０００２】
従来、足や腰などの疲労回復や機能回復等を図るために、ベッドの長手方向の一端部に配置されるベース部材と、このベース部材に立設した支柱部材と、この支柱の上端部に取り付けられた滑車と、両端に足掛部が設けられ中間部が前記滑車に回し掛けられる紐状部材とから構成される運動器具とから成る運動用具が開発されている。（特許文献１参照）
そして以上の運動用具は、使用者がベッド上に寝て、両足をそれぞれ足掛部に掛止した上で、両足を交互に動かすことで、両足の運動を行なうようにして、足腰の筋力強化、疲労回復、腰痛の予防及び治療等が図れるようにしている。
【０００３】
しかしながら以上の運動用具は、下肢の運動を専ら行なうためのものであって、以上の運動用具により、例えばベッド上で両腕を上下に屈伸させる上肢の運動を行なおうとすると、両腕が頭の斜め上方に向けて無理に引き上げられるような運動となって、特に老人や普段は病院や家庭のベッドに寝ているような人では、このような上肢の屈伸運動は行ない難いものである。
【特許文献１】特開２００２−６５８９２
【発明の開示】
【発明が解決しようとする課題】
【０００４】
本発明は以上の実情に鑑みて開発したものであって、目的とするところは、下肢のみならず上肢の屈伸運動をも無理なく行なえる運動用具を提供することにある。
【課題を解決するための手段】
【０００５】
以上の目的を達成するため、請求項１に記載の発明は、ベッドの一端部に立設する支柱部材と、この支柱部材の上端部に設けられる第１掛止部と、第１掛止部に係止される滑車と、長さ方向両端部に足掛部材が設けられ、長さ中間部が前記滑車に回し掛けられる紐状部材から構成される下肢用運動器具と、長さ方向一端部が支柱部材の上端部に枢支されて、この支柱部材の長さ方向に対してほぼ直交する方向に延びる使用位置、及び支柱部材の長さ方向に沿って延びる格納位置に位置変更可能なアーム部材と、このアーム部材の長さ方向他端部に設けられる第２掛止部と、第２掛止部に係止される滑車と、長さ方向両端部に手で握るためのグリップが設けられ、長さ中間部が前記滑車に回し掛けられる紐状部材から構成される上肢用運動器具とが備えられていることを特徴とするものである。
【０００６】
また請求項２に記載の発明は、請求項１に記載の支柱部材が上下方向に伸縮可能に構成されていることを特徴とするものである。
【発明の効果】
【０００７】
請求項１に記載の発明によれば、下肢の運動を行なう際には、下肢用運動器具により下肢の屈伸運動を手軽に行なえるのは勿論のこと、上肢の運動を行なう場合には、アーム部材を使用位置に展開するに伴い、ベッドに伏せた人の両腕の上方に第２掛止部を位置させることが可能となって、上肢の屈伸運動を無理なく行なうことが出来、またまた上肢の運動を行なわない場合には、アーム部材が障害とならないように支柱部材に沿わせて格納することが出来る。
【０００８】
請求項２に記載の発明によれば、請求項１に記載乃発明の効果に加え、支柱部材を上肢及び下肢の運動に適した高さに調整することが出来るので、上肢及び下肢の運動がより一層効果的に行なえるし、また不使用時には、支柱部材を縮めることで、運動用具を嵩低くすることが出来る。
【発明を実施するための最良の形態】
【０００９】
図１に概略的に示す運動用具は、ベッド１の長さ方向一端部に設置されるのであって、この運動用具は、基本的には、
ベッド１の長さ方向一端部に立設する支柱部材２と、
この支柱部材２の上端部に設けられる第１掛止部３と、
第１掛止部３に係止される第１滑車４と、
長さ方向両端部に足掛部５１が設けられ、長さ中間部が前記第１滑車４に回し掛けられる紐状部材５２から構成される下肢用運動器具５と、
長さ方向一端部が支柱部材２の上端部に枢支されて、この支柱部材２の長さ方向に対してほぼ直交する方向に延びる使用位置、及び支柱部材２の長さ方向に沿って延びる格納位置に位置変更可能なアーム部材６と、
このアーム部材６の長さ方向他端部に設けられる第２掛止部７と、
第２掛止部７に係止される第２滑車８と、
長さ方向両端部に手で握るためのグリップ９１が設けられ、長さ中間部が前記第２滑車８に回し掛けられる紐状部材９２から構成される上肢用運動器具９とから構成されている。
【００１０】
支柱部材２は、円筒状の外筒２１と、この外筒２１の上端開口から内部に摺動自在に挿入された円筒状の内筒２２とから上下方向に伸縮可能に構成されている。
【００１１】
そして外筒２１の上端部には貫通孔（図示せず）と、この貫通孔に連通する支持筒２３が設けられて、この支持筒２３に装着されるロックピン２４を内筒２２側に向けてスプリング部材（図示せず）により常時弾性的に付勢させて、その先端部を、内筒２５に設けた複数の嵌合孔（図示せず）の1つに嵌合させることで、支持部材２を所定の高さにセッティングするようにしている。
【００１２】
また外筒２４の前面には、上下一対のブラケット２５が溶接により固定され、このブラケット２５をベッド１のフレーム１１にボルト止めすることで、図１に示すように、支柱部材２をベッド１の長さ方向一端部に立設させるようにしている。
【００１３】
また内筒２２の上端には、前方へ突出する支持板３０が固設され、この支持板３０の先端部下面には、第１掛止部３を構成する略Ｊ字状の第１フック３１がその湾曲端部を後方に向けて組み付けられている。
【００１４】
実施形態に示す支持板３０の長さは約１０ｃｍである。
【００１５】
また第１フック３１に掛止された第１滑車４に取り付けられる下肢用運動器具５は、図４に示すように、長さ中間部が前記第１滑車４に回し掛けられるロープ状の紐状部材５２の長さ方向両端に足掛部５１が設けられたものである。
【００１６】
足掛部５１は、皮革、布、軟質合成樹脂等の可撓性材料からなる足掛部材５３と、金属等から環状に形成された一対の連結環５４とを備えたものであり、足掛部材５３は、足の裏と、踵のやや上方の部分とを掛止するための、互いに直交状に傾斜した一対の帯状部５５を有するとともに、これら帯状部５５が両端部で互いに連結され、その連結部に、上向きに細くなる連設部５６がそれぞれ連設され、また帯状部５５間には、踵を逃がすための孔５７が形成され、連設部５６の遊端部には、連結環５４が設けられている。
【００１７】
足掛部４１は、図４に示すように、紐状部材５２の両端にスナップ金具５８を介して取り付けられるのであって、またスナップ金具５８は、レバー５８ａを操作することにより開閉できる環状のフック部５８ｂが備えられて、このフック部５８ｂを足掛部５１の連結環５４に掛止することにより、足掛部５１を紐状部材５２に着脱可能に取り付けるようにしている。
【００１８】
一方、アーム部材６は、角パイプから形成されて、その長さ方向一端部を、内筒２２の上端部に溶接により固定した略コ字状のブラケット６１に枢軸６２を介して枢支されて、支柱部材２の長さ方向に対して直交する方向に延びる使用位置乃至支柱部材２の長さ方向に沿って延びる格納位置に揺動可能としているのであって、アーム部材６が使用位置に展開した時には、アーム部材６の基部側が支持板３０上に載り、その遊端側がベッド１のマット面と対向するようにしている。
【００１９】
実施形態に示すアーム部材６の長さは約５０ｃｍである。
【００２０】
またアーム部材６の遊端部には、第２掛止部７を構成する略Ｊ字状の第２フック７１が組み付けられ、アーム部材６が使用位置に展開した時には、この第２フック７１がベッド１のマット面と対向すると共に第２フック７１の湾曲端部が後方を向くようにしている。
【００２１】
また第２フック７１に掛止された第２滑車８に取り付けられる上肢用運動器具９は、図５に示すように、長さ中間部が前記第２滑車８に回し掛けられるロープ状の紐状部材９２の長さ方向両端にスナップ金具９５を介してグリップ９１が設けられたものであって、グリップ９１の握り部分にはクッション材９３が巻かれている。
【００２２】
スナップ金具９５は、レバー９５ａを操作することにより開閉できる環状のフック部９５ｂが備えられて、このフック部９５ｂを上肢用運動器具９のグリップ９１に掛止することにより、グリップ９１を紐状部材９２に着脱可能に取り付けるようにしている。
【００２３】
次に以上の構成からなる運動用具１により、下肢または上肢の運動を行なう方法を説明する。
【００２４】
先ず、以上の運動用具により下肢の運動を行なう場合には、ベッド１のマット面の高さ、使用者の身長、並びに運動の態様等に応じて支柱部材３の高さを適宜に調節した上で、下肢用運動器具５を構成する足掛部５１の1つを紐状部材５２から取り外した状態で、紐状部材５２を第1掛止部３を構成する第１フック３１に掛止した第１滑車４に架け渡し、その後、外した足掛部５１を取り付ける。
【００２５】
そして次に使用者の両足を足掛部５１にそれぞれ掛止し、使用者が図６に示すようにベッド１のマットレス１２上に仰臥し、膝関節をできるだけ伸ばしながら、両足を交互に上下させるのであって、上げていた一方の足を下ろしてゆくに伴い、紐状部材５２を介して他方の足が引き上げられるのである。
【００２６】
従って使用者の足腰が弱っている場合でも、足をほぼ水平な位置とほぼ垂直な位置との間で上下運動させることが簡単に行なえ、足腰の筋力強化、疲労回復、機能回復、腰痛の予防及び治療等を図ることが出来る。
【００２７】
次に以上の運動用具により上肢の運動を行なう場合には、ベッド１のマット面の高さ、使用者の身長、並びに運動の態様等に応じて支柱部材３の高さを適宜に調節した上で、格納位置にあるアーム部材６を使用位置に展開して、第２掛止部７を構成する第２フック７１に第２滑車８を掛止すると共に、上肢用運動器具９を構成するグリップ９１の1つを紐状部材９３から取り外した状態で、紐状部材９２を第２滑車８に架け渡し、その後、外したグリップ９１を紐状部材９２に再度取り付ける。
【００２８】
そして使用者が図７に示すようにベッド１のマットレス１２上に座って、身体の上方に設置された上肢用運動用具９のグリップ９１を手で握った上で、両腕を交互に上下させるのであって、上げていた一方の腕を下ろして行くに伴い、紐状部材９２を介して他方の腕がマット１２上の身体に対してほぼ直交する方向に引き上げられるのである。
【００２９】
斯くして以上の運動用具による上肢の運動では、両腕を身体に対してほぼ直交する方向に屈伸運動させることが出来るので、老人や普段病院や家庭のベッド１に寝ているような人でも上肢の屈伸運動を無理なく行なうことが出来る。
【００３０】
以上のごとく実施形態の運動用具によれば、例えば普段はベッド１に寝ているような患者や高齢者が使用する場合でも、ベッド１に寝たままで下肢のみならず上肢の運動が手軽にしかも無理なく行なうことが出来るのである。
【００３１】
以上の実施形態では、第１滑車４と第２滑車８とを設けたが、これに限定されるものではなく、第２滑車８を第１滑車４と兼用させてもよい。
【図面の簡単な説明】
【００３２】
【図１】本発明にかかる運動用具の一例をベッドに取り付けた状態を示す斜視図。
【図２】運動用具の要部の拡大側面図であって、アーム部材を折り畳んだ状態を示す。
【図３】運動用具の要部の拡大側面図であって、アーム部材を展開した状態を示す。
【図４】下肢用運動器具の斜視図。
【図５】上肢用運動器具の斜視図。
【図６】下肢の屈伸運動の状態を示す説明図。
【図７】上肢の屈伸運動の状態を示す説明図。
【符号の説明】
【００３３】
１      ベッド
１２    マット
２      支柱部材
２１    外筒
２２    内筒
３      第１掛止部
４      第１滑車
５      下肢用運動器具
５１    足掛部
５２    紐状部材
６      アーム部材
７      第２掛止部
８      第２滑車
９      上肢用運動器具
９１    グリップ
９２    紐状部材
【図１】
2006217933.tif 000003
【図２】
2006217933.tif 000004
【図３】
2006217933.tif 000005
【図４】
2006217933.tif 000006
【図５】
2006217933.tif 000007
【図６】
2006217933.tif 000008
【図７】
2006217933.tif 000009